【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
エネルギー提供装置で発電された電力量を受信する通信部と、
電力系統の停電復旧を検出すると、前記エネルギー提供機器から電気機器に対する電力の供給を停止し、所定時間の経過後、前記エネルギー提供機器から前記電力系統に電力を供給させる処理部と、
を有する電力供給制御装置。
【請求項２】
エネルギー提供装置で発電された電力量を受信する通信部と、
電力系統の停電復旧を検出すると、前記エネルギー提供機器から電気機器に対する電力の供給を停止し、前記エネルギー提供機器を前記電力系統と接続してから所要の時間が経過後、前記エネルギー提供機器から前記電力系統に電力を供給させる処理部と、
を有する電力供給制御装置。
【請求項３】
前記処理部は、
前記エネルギー提供機器を前記電力系統へ接続してから、周波数調整または位相調整を実施した後、前記エネルギー提供機器から前記電力系統に電力を供給させる請求項２に記載の電力供給制御装置。
【請求項４】
前記通信部は、
前記エネルギー提供機器を前記電力系統へ接続してから該エネルギー提供機器が前記電力系統と連系運転可能になるまでの時間である連系動作時間および前記エネルギー提供機器から前記電力系統に対して逆潮流する電力量である予測逆潮流量の少なくともいずれか一方を送信する請求項１から３のいずれか１項に記載の電力供給制御装置。
【請求項５】
前記処理部は、
前記連系動作時間及び前記予測逆潮流量の少なくともいずれか一方に基づいて設定された連系時刻に連系指示を受信すると、前記エネルギー提供機器から前記電力系統に電力を供給させる請求項４に記載の電力供給制御装置。
【請求項６】
コンピュータが、
電力系統の停電復旧を検出すると、前記エネルギー提供機器から電気機器に対する電力の供給を停止し、
所定時間の経過後、前記エネルギー提供機器から前記電力系統に電力を供給する電力供給制御方法。
【請求項７】
コンピュータが、
電力系統の停電復旧を検出すると、前記エネルギー提供機器から電気機器に対する電力の供給を停止し、
前記エネルギー提供機器を前記電力系統と接続してから所要の時間が経過後、前記エネルギー提供機器から前記電力系統に電力を供給する電力供給制御方法。
【請求項８】
前記コンピュータが、
前記エネルギー提供機器を前記電力系統へ接続してから、周波数調整または位相調整を実施した後、前記エネルギー提供機器から前記電力系統に電力を供給する請求項７記載の電力供給制御方法。
【請求項９】
前記コンピュータが、
前記エネルギー提供機器を前記電力系統へ接続してから該エネルギー提供機器が前記電力系統と連系運転可能になるまでの時間である連系動作時間および前記エネルギー提供機器から前記電力系統に対して逆潮流する電力量である予測逆潮流量の少なくともいずれか一方を送信する請求項６から８のいずれか１項に記載の電力供給制御方法。
【請求項１０】
前記コンピュータが、
前記連系動作時間および前記予測逆潮流量の少なくともいずれか一方に基づいて設定された連系時刻に連系指示を受信すると、前記エネルギー提供機器から前記電力系統に電力を供給する請求項９に記載の電力供給制御方法。
【請求項１１】
停電復旧すると、エネルギー提供機器毎に電力系統に対する連系時刻をスケジューリングする処理部と、
前記スケジューリングされた前記連系時刻にしたがって、前記電力系統に対して連系を指示する連系指示を前記エネルギー提供機器毎に送信する通信部と、
を有する停電管理装置。
【請求項１２】
前記処理部は、
前記エネルギー提供機器から受信した、前記エネルギー提供機器を前記電力系統へ接続してから該エネルギー提供機器が前記電力系統と連系運転可能になるまでの時間である連系動作時間および前記エネルギー提供機器から前記電力系統に対して逆潮流する電力量である予測逆潮流量の少なくともいずれか一方に基づいて、前記電力系統に対する前記エネルギー提供機器毎の連系時刻をスケジューリングする請求項１１に記載の停電管理装置。
【請求項１３】
前記処理部は、
前記電力系統の調整負荷が最小となるように前記連系時刻をスケジューリングする請求項１１または１２に記載の停電管理装置。
【請求項１４】
前記通信部は、
前記エネルギー提供機器に対して通知した前記停電復旧に応じて該エネルギー提供機器から送信される、前記連系動作時間および前記予測逆潮流量の少なくとも一方を受信すると、前記電力系統に対して連系を指示する連系指示を前記エネルギー提供機器毎に送信する請求項１２に記載の停電管理装置。
【請求項１５】
前記通信部は、
停電が発生している配電区間を示す停電区間情報および前記電力系統に収容されている需要家を示す系統需要家収容情報の少なくともいずれか一方に基づいて、前記電力系統からの解列を指示する解列指示を前記エネルギー提供機器に送信する請求項１１から１４のいずれか１項に記載の停電管理装置。
【手続補正２】
【補正対象書類名】明細書
【補正対象項目名】発明の名称
【補正方法】変更
【補正の内容】
【発明の名称】電力供給制御装置、電力供給制御方法及び停電管理装置
【手続補正３】
【補正対象書類名】明細書
【補正対象項目名】０００１
【補正方法】変更
【補正の内容】
【０００１】
本発明は、負荷に電力を供給可能なエネルギー提供機器を制御する電力供給制御装置、電力供給制御方法及び停電管理装置に関する。
【手続補正４】
【補正対象書類名】明細書
【補正対象項目名】００１３
【補正方法】変更
【補正の内容】
【００１３】
そこで、本発明は、電力系統の停電時において、需要家のエネルギー提供機器による自立運転機能の切り換えを容易にできる電力供給制御装置、電力供給制御方法及び停電管理装置を提供することを目的とする。
【手続補正５】
【補正対象書類名】明細書
【補正対象項目名】００１４
【補正方法】変更
【補正の内容】
【００１４】
上記目的を達成するため本発明の電力供給制御装置は、エネルギー提供装置で発電された電力量を受信する通信部と、
電力系統の停電復旧を検出すると、前記エネルギー提供機器から電気機器に対する電力の供給を停止し、所定時間の経過後、前記エネルギー提供機器から前記電力系統に電力を供給させる処理部と、
を有する。
または、エネルギー提供装置で発電された電力量を受信する通信部と、
電力系統の停電復旧を検出すると、前記エネルギー提供機器から電気機器に対する電力の供給を停止し、前記エネルギー提供機器を前記電力系統と接続してから所要の時間が経過後、前記エネルギー提供機器から前記電力系統に電力を供給させる処理部と、
を有する。
【手続補正６】
【補正対象書類名】明細書
【補正対象項目名】００１５
【補正方法】変更
【補正の内容】
【００１５】
本発明の電力供給制御方法は、コンピュータが、
電力系統の停電復旧を検出すると、前記エネルギー提供機器から電気機器に対する電力の供給を停止し、
所定時間の経過後、前記エネルギー提供機器から前記電力系統に電力を供給する方法である。
または、コンピュータが、
電力系統の停電復旧を検出すると、前記エネルギー提供機器から電気機器に対する電力の供給を停止し、
前記エネルギー提供機器を前記電力系統と接続してから所要の時間が経過後、前記エネルギー提供機器から前記電力系統に電力を供給する方法である。
【手続補正７】
【補正対象書類名】明細書
【補正対象項目名】００１６
【補正方法】変更
【補正の内容】
【００１６】
一方、本発明の停電管理装置は、停電復旧すると、エネルギー提供機器毎に電力系統に対する連系時刻をスケジューリングする処理部と、
前記スケジューリングされた前記連系時刻にしたがって、前記電力系統に対して連系を指示する連系指示を前記エネルギー提供機器毎に送信する通信部と、
を有する。
【手続補正８】
【補正対象書類名】明細書
【補正対象項目名】００４３
【補正方法】変更
【補正の内容】
【００４３】
図４に示す電力供給制御装置２２は、例えば図５に示す情報処理装置（コンピュータ）で実現できる。図５は、図１及び２に示した電力供給制御装置を実現する情報処理装置の一構成例を示すブロック図である。